(57)【特許請求の範囲】
【請求項１】
上部に開口を有し、薬剤が収容される容器と、
前記開口を塞ぐカバー部材と、
を備え、
前記容器は、前記開口の周囲に、当該開口の径方向の内方に凹む複数の凹部を有しており、
前記カバー部材は、上壁と、当該上壁の周縁から下方へ延びる周壁と、を有し、
前記周壁の内壁面には、前記各凹部に、それぞれ係合する複数の突出部を有しており、
前記開口の周方向に沿って、隣接する前記凹部の間には、それぞれ、当該凹部と隣接し、前記径方向の外方に膨出する膨出部が設けられており、
前記各膨出部の外縁には、上方から下方に向かって、前記凹部に近接する、少なくとも１つの傾斜面が形成されている、薬剤揮散器。
【請求項２】
前記各膨出部は、正面視において三角形状に形成されており、前記傾斜面は、前記膨出部の斜辺に形成されている、請求項１に記載の薬剤揮散器。
【請求項３】
上部に開口を有し、薬剤が収容される容器と、
前記開口を塞ぐカバー部材と、
を備え、
前記容器は、前記開口の周囲に、当該開口の径方向の内方に凹む複数の凹部を有しており、
前記カバー部材は、上壁と、当該上壁の周縁から下方へ延びる周壁と、を有し、
前記周壁の内壁面には、前記各凹部に、それぞれ係合する複数の突出部を有しており、
前記開口の周方向に沿って、隣接する前記凹部の間には、それぞれ、前記径方向の外方に膨出する膨出部が設けられており、
前記各凹部は正面視矩形状に形成されており、当該各凹部の上辺と各側辺とが鋭角をなすように構成されている、薬剤揮散器。
【請求項４】
前記各突出部の前記内壁面からの突出長さは、前記周方向の両端部よりも、中央付近において長く形成されている、請求項１から３いずれかに記載の薬剤揮散器。
【発明の詳細な説明】
【技術分野】
【０００１】
本発明は、薬剤揮散器に関する。
【背景技術】
【０００２】
従来より、芳香剤や消臭剤等の薬剤を揮散する種々の形態の薬剤揮散器が提案されている。例えば、特許文献１には、次のような薬剤揮散器が開示されている。この薬剤揮散器は、上部に開口が形成された首部が設けられ、芳香剤等の薬液が収容される容器と、この容器の上部開口を塞ぐキャップと、を備えている。また、この容器の上部には、カップ状に形成され、複数のスリットが形成されたカバー部材が取り付けられており、このカバー部材により、上部開口の上方に閉じた空間が形成される。そして、容器の内部には、帯状の吸液芯が収容されており、吸液芯の上端部が連結機構を介してキャップの下面に回転自在に固定されている。また、容器の首部の内壁面には、吸液芯を側方から押圧する一対の突部が設けられており、吸液芯はこれら突部の間を通過するように、上方に延びている。
【０００３】
上記カバー部材は、上壁と、この上壁の周縁から下方に延び複数のスリットが形成された周壁とを備えている。また、この周壁の内壁面には複数の突出部が形成されている。これら突出部は容器に形成された複数の凹部にそれぞれ係合するようになっており、これにより、カバー部材は、容器に対して着脱自在に固定される。
【０００４】
この薬剤揮散器は、次のように使用される。まず、カバー部材を容器から取り外す。次に、キャップを容器の開口から取り外すとともに、上方に持ち上げる。これにより、薬液が含浸された吸液芯が露出する。このとき、吸液芯は、突部によって挟まれているため、上方に引き上げられた状態を維持することができる。
【０００５】
これに続いて、カバー部材を再び容器に取り付ける。このとき、引き上げられたキャップ及び吸液芯は、カバー部材の内部空間内に配置され、外部から接触できないようになっている。但し、カバー部材には複数のスリットが形成されているため、吸液芯に含浸された薬液は、スリットを介して外部に揮散し、これによって芳香効果等を得ることができる。
【先行技術文献】
【特許文献】
【０００６】
【特許文献１】意匠登録第１４５０６９４号公報
【発明の概要】
【発明が解決しようとする課題】
【０００７】
ところで、使用者は、カバー部材を手で把持した状態で薬剤揮散器を持ち運ぶことがあり、そのため、カバー部材が容器から離脱しないよう、カバー部材の突出部を容器の凹部に対して確実に係合させる必要がある。しかしながら、容器及びカバー部材は一般的に樹脂性であり、弾性変形可能であるため、カバー部材を無理矢理容器に対して押し込むことも可能である。このとき、突出部が凹部に係合していなくても、突出部が容器を弾性的に押圧することで、カバー部材を容器に固定することができることがある。しかしながら、突出部が凹部に係合していない状態では、カバー部材は容器から容易に離脱するおそれがあり、カバー部材を手で把持して薬剤揮散器を持ち運ぼうとしたときに、カバー部材が容器から離脱し、容器が落下する可能性がある。このような問題は、上記のような吸液芯を有する薬剤揮散器のみならず、着脱自在な容器とカバー部材を有し、容器からカバー部材を介して薬剤を外部に揮散させる薬剤揮散器全般に亘って起こり得る問題である。
【０００８】
本発明は、上記問題を解決するためになされたものであり、カバー部材の容器への取付時に、カバー部材の突出部を容器の凹部に対して確実に係合させることができる、薬剤揮散器を提供することを目的とする。
【課題を解決するための手段】
【０００９】
本発明に係る薬剤揮散器は、上部に開口を有し、薬剤が収容される容器と、前記開口を塞ぐカバー部材と、を備え、前記容器は、前記開口の周囲に、当該開口の径方向の内方に凹む複数の凹部を有しており、前記カバー部材は、上壁と、当該上壁の周縁から下方へ延びる周壁と、を有し、前記周壁の内壁面には、前記各凹部に、それぞれ係合する複数の突出部を有しており、前記開口の周方向に沿って、隣接する前記凹部の間には、それぞれ、前記径方向の外方に膨出する膨出部が設けられている。
【００１０】
この構成によれば、隣接する凹部の間に膨出部が設けられているため、カバー部材を容器に取り付けるとき、凹部以外の箇所、つまり膨出部が設けられている箇所には、突出部を押し込むことができず、これによって、使用者はカバー部材の取付位置が間違っていることを認識することができる。したがって、カバー部材の容器への取付時に、突出部を凹部に対して確実に係合させることができる。その結果、カバー部材が容器から離脱するのを防止することができる。
【００１１】
上記薬剤揮散器において、前記各膨出部の外縁には、上方から下方に向かって、前記凹部に近接する、少なくとも１つの傾斜面を形成することができる。
【００１２】
この構成によれば、カバー部材を容器に向けて上方から下方に移動させる際、カバー部材の突出部が膨出部の外縁の傾斜面に接触したときに、カバー部材をさらに下方に移動させると、突出部は傾斜面に沿って案内され、凹部に近接する。したがって、カバー部材を容器に取り付ける際に、突出部が誤って膨出部に接触したとしても、突出部を凹部まで案内することができる。その結果、突出部を凹部に確実に係合させることができる。
【００１３】
上記各薬剤揮散器において、前記各膨出部は、正面視において三角形状に形成されており、前記傾斜面は、前記膨出部の斜辺に形成することができる。
【００１４】
この構成によれば、膨出部が正面視において三角形状に形成されているため、カバー部材を容器に取り付ける際、突出部が膨出部のいずれの位置に接触しても、三角形状に形成された膨出部の斜辺に沿って突出部を凹部まで案内することができる。その結果、突出部を凹部に確実に係合させることができる。
【００１５】
上記各薬剤揮散器において、前記各凹部は正面視矩形状に形成することができ、当該各凹部の上辺と各側辺とが鋭角をなすように構成することができる。
【００１６】
この構成によれば、カバー部材を周方向に回転させたときに、突出部が凹部の側辺に沿って上方に誘導されるため、これに伴ってカバー部材が容器から離れる方向に移動する。したがって、カバー部材を容器からさらに離脱させやすくすることができる。
【００１７】
上記各薬剤揮散器において、前記各突出部の前記内壁面からの突出長さは、前記周方向の両端部よりも、中央付近において長く形成することができる。
【００１８】
この構成によれば、突出部の周方向の中央付近の、カバー部材の内壁面からの突出長さが長く形成されているため、この部分において突出部は凹部に対して深く嵌まり込んだ状態となる。そのため、例えば、カバー部材を把持して容器を持ち上げたときに、カバー部材から容器から離脱するのを防止することができる。一方、突出部の周方向の両端部においては、突出長さが中央付近よりも短いため、凹部との干渉が小さくなる。そのため、カバー部材を容器に対して周方向に回転させれば、突出部のいずれか一方の端部を起点として、突出部を凹部から容易に離脱させることができる。このとき、カバー部材の回転を続ければ、突出部の端部に続いて、突出長さの長い中央付近も凹部から容易に離脱させることができる。このように、本発明に係る薬剤揮散器では、カバー部材を容器に対して強固に固定できるとともに、周方向に回転させることで容器から容易に取り外すことができる。なお、突出長さが長い「中央付近」とは、厳密な中央でなくてもよく、少なくとも、突出部の両端部に突出長さが短い部分があればよい。
【発明の効果】
【００１９】
本発明に係る薬剤揮散器によれば、カバー部材の容器への取付時に、カバー部材の突出部を容器の凹部に対して確実に係合させることができる。
【図面の簡単な説明】
【００２０】
【図１】本発明の一実施形態に係る薬剤揮散器の正面図である。
【図２】容器の正面図である。
【図３】図２の側面図である。
【図４】図２の平面図である。
【図５】キャップを取り付けた状態の容器の斜視図である。
【図６】図２の一部拡大図である。
【図７】支持体の正面図である。
【図８】キャップ及び吸液芯が取り付けられた支持体の側面図である。
【図９】カバー部材の斜視図である。
【図１０】カバー部材の底面図である。
【図１１】カバー部材の内壁面の一部を示す図である。
【図１２】突出部を示す一部平面図である。
【図１３】図１のＡ−Ａ線断面図である。
【図１４】カバー部材の取り外しを示す図１３の一部断面図である。
【図１５】薬剤揮散器の使用方法を示す正面図である。
【図１６】膨出部の機能を説明する平面図である。
【発明を実施するための形態】
【００２１】
以下、本発明に係る薬剤揮散器の一実施形態について図面を参照しつつ説明する。なお、以下では、説明の便宜のため、図１内の部材の向きを基準に、説明を行う。但し、これらの方向は、本発明を限定するものではない。
【００２２】
＜１．薬剤揮散器の概要＞
図１は薬剤揮散器の正面図である。図１に示すように、本実施形態に係る薬剤揮散器は、薬液を収容する容器１と、この容器１の上部開口１０を塞ぐキャップ２（図５参照）と、を備えている。また、容器１の内部には、薬液を含浸する吸液芯４（図８参照）が収容されており、この吸液芯４は支持体３（図７参照）によりキャップ２に固定されている。さらに、この容器１の上部には、キャップ２を覆うカバー部材５が着脱自在に取り付けられている。以下、各部材について詳細に説明する。
【００２３】
＜２．容器＞
図２は容器の正面図、図３は図２の側面図、図４は図２の平面図、図５はキャップを取り付けた状態の容器の斜視図、図６は図２の一部拡大図である。図２〜図６に示すように、本実施形態に係る容器は、開口１０を有する上部１１、この上部１１と連続し下方へ延びる胴部１２、及びこの胴部１２の下部を塞ぐ底部１３とで構成されており、これらによって薬液を収容する内部空間を形成している。上部１１は、キャップ２が取り付けられる円筒状の首部１１１を有しており、この首部１１１の上端に円形状の開口１０が形成されている。そして、この開口１０の周縁には、雄ネジ１１１５が形成されており、開口１０を塞ぐキャップ２を着脱自在に取り付け可能となっている。また、首部１１１には、径方向の対向する２箇所に、窪み１１１０が形成されており、これら窪み１１１０によって、首部１１１の内部空間には一対の突部が形成されている。両突部の間には、平面視において矩形状の通路が形成され、この通路に上述した吸液芯４が挿通される。
【００２４】
首部１１１の下端には、首部１１１よりも大径の平面視円形状の固定台部１１２が設けられている。この固定台部１１２は、首部１１１の下端から連続して延びる平坦な上面部１１２１と、この上面部１１２１から連続して下方へ延びる側面部１１２２と、側面部１１２２と胴部１２とを連結する平坦な段部１１２３と、で構成されている。そして、この固定台部１１２に、後述するように、カバー部材５の基台部５２２が嵌まるように構成されている。したがって、固定台部１１２の外径と、カバー部材５の基台部５２２の内径とは、ほぼ一致している。
【００２５】
次に、固定台部１１２の側面部１１２２について、図６を参照しつつ説明する。まず、側面部１１２２の下端には、周方向に９０度おきに、４つの凹部１５が形成されており、各凹部１５に、カバー部材５の突出部５５（図１３参照）が係合するようになっている。各凹部１５は、正面視において、下辺１５１が短い台形状に形成されている。すなわち、各凹部１５の下辺１５１が段部１１２３に沿って形成されるとともに、両側辺１５２は、上方にいくにしたがって互いに離れるように傾斜している。これにより、凹部１５の上辺１５３と両側辺１５２とは鋭角をなしている。また、各凹部１５の上辺１５３は、側面部１１２２の上下方向の概ね中間付近に位置している。
【００２６】
周方向において、隣接する凹部１５の間には、径方向外方へ膨出する膨出部１６が形成されている。すなわち、本実施形態においては、４つの膨出部１６が形成されている。各膨出部１６は、正面視が三角形状に形成されている。すなわち、各膨出部１６は、底辺１６１が段部１１２３に沿って形成され、両斜辺が傾斜面１６２を形成している。そして、この傾斜面１６２は、各凹部１５の側辺１５２と一致するように形成されている。より詳細には、両傾斜面１６２は、各凹部１５の側辺１５２を延長するように上方に傾斜して延び、側面部１１２２の上端付近で連結されている。
【００２７】
そして、固定台部１１２の下端には、これよりも大径の胴部１２が連結されている。胴部１２は筒状に形成され、その下端が底部１３によって塞がれている。図４に示すように、胴部１２は、対向配置される一対の第１パネル１２１と、これら第１パネル１２１と直交するように対向配置される一対の第２パネル１２２と、を有している。こうして、胴部１２は、上部１１と底部１３との間で上下方向に延びる軸Ｚの周りに、概ね矩形状の断面を有する筒状に形成される。また、胴部１２は、第１パネル１２１に沿って延びる幅方向の長さＳ１が、第２パネル１２２に沿って延びる幅方向の長さＳ２よりも長くなっている。一方、胴部１２の上下の長さについては、図２に示すように、幅方向の長さＳ１が、高さＨよりも長くなっている。
【００２８】
次に、上述した胴部１２を構成する各部について説明する。各第１パネル１２１は、平面視の断面が円弧状に形成されており、正面視（図２）で見ると、上部１１に連結される上端部、及び底部１３に連結される下端部が直線状に形成されている。また、両側の第２パネル１２２との境界では第２パネル１２２側へ凸の円弧状に形成されている。そして、第１パネル１２１の両側には、それぞれ、２本ずつ、上下方向に延びる凹状のリブ１７が形成されている。各リブ１７は、第１パネル１２１の両側に沿って、第２パネル１２２側に凸となるように円弧状に形成されている。
【００２９】
各第２パネル１２２は、正面視（図２）で見ると、上部１１から底部１３に向かって径方向外方に凸の円弧状に形成されている。また、平面視（図４）で見ると、各第２パネル１２２は、径方向外方に凸の円弧状に形成されている。そして、各第２パネル１２２には、上下方向に延びる複数の段部１８が形成されている。このように、胴部は、第１パネル１２１及び第２パネル１２２に、それぞれ、リブ１７や段部１８を設けることで、機械的強度を向上している。
【００３０】
この容器１は、例えば、ポリエチレンテレフタレート、ポリエチレン、ポリプロピレンなどの弾性変形可能な樹脂材料で形成することができ、インジェクションブロー成形などの公知のブロー成形で製造することができる。また、このような容器１の厚みは、例えば、０．２〜２ｍｍとすることができる。
【００３１】
＜３．キャップ＞
図５に示すように、キャップ２は、円形状の上壁２１と、この上壁２１の周縁から下方へ延びる周壁２２とを有するカップ状に形成されている。周壁２２の内壁面には、雌ネジが形成されており、容器１の首部１１１の雄ネジ１１１５に螺合するように構成されている。また、上壁２１の下面には、突部２１１が形成されている（図８参照）。
【００３２】
＜４．支持体＞
次に、支持体３について、図７及び図８を参照しつつ説明する。図７は支持体の正面図、図８はキャップ及び吸液芯が取り付けられた支持体の側面図である。図７及び図８に示すように、支持体３は、上辺３１、一対の側辺３２、及び下辺３３を有する矩形の枠状に形成されている。上辺３１には、キャップ２の突部２１１が回転自在に嵌まる受け部３４が形成されており、これによって、キャップ２は支持体３に対して回転自在となっている。上辺３１及び下辺３３の長さ、つまり一対の側辺３２間の長さは、容器１の開口１０（首部１１１）の内径よりもやや小さく、これによって、支持体３は、容器１の開口１０から内部空間へと挿入可能となっている。また、上辺３１の下方には、一対の側辺３２を連結する梁部３５が設けられており、後述するように、吸液芯４を支持するようになっている。さらに、下辺３３の両側には、下辺３３を延長するように、凸状の抜け止め部３６が取付けられている。上記のように下辺３３の長さは首部１１１の内径よりも小さいが、抜け止め部３６は、首部１１１の下方において、首部１１１を超えて径方向外方へ延びている。これにより、支持体３を引き上げたときには、抜け止め部３６が固定台部１１２の内面に係合するようになっており、支持体３がそれ以上引き上げられないようになっている。
【００３３】
＜５．吸液芯＞
吸液芯４は、薬液を含浸するものであり、帯状に形成されている。そして、吸液芯４は、図８に示すように、支持体３の梁部３５と下辺３３とに巻き付けられつつ、さらに支持体３の下方へと延びている。また、支持体３に巻き付けられた状態の吸液芯４の厚みは、容器１の首部１１１に形成された突部間の隙間よりもやや大きく形成されており、これによって、吸液芯４は両突部によって押圧された状態で保持される。また、両突部により、吸液芯４と首部１１１の内部空間との間の隙間を埋めることができ、これによって、不意に容器１が倒れても薬液が漏れないという利点もある。さらに、液漏れ防止のための中栓が不要になるため、コストダウンにも寄与する。
【００３４】
なお、吸液芯４を構成する材料は、薬剤を吸い上げるとともに、薬液を外部に揮散させることができるような材料であれば、特には限定されない。例えば、紙、布など種々の材料を用いることができ、好ましくは、不織布が望ましく、不織布はパルプ、ポリエステル、レーヨンなどに結着剤を混ぜたものから構成される。
【００３５】
＜６．カバー部材＞
図９はカバー部材の斜視図、図１０はカバー部材の底面図、図１１はカバー部材の内壁面の一部を示す図、図１２は突出部を示す一部平面図である。図９及び図１０に示すように、本実施形態に係るカバー部材５は、円形状の上壁５１と、この上壁５１の周縁から下方に延びる周壁５２と、を備えている。周壁５２は、上壁５１の周縁の連結される円筒状の本体部５２１と、この本体部５２１の下端部に連結され、本体部５２１よりもやや大径の基台部５２２と、を備えている。本体部５２１は、中心角が約９０度のパネル５３と、このパネル５３以外の中心角が約２７０度の通気領域５４と、を備えており、通気領域５４には、上下方向に延びる複数のスリット５４１が形成されている。また、パネル５３には、装飾が施されている。なお、このパネル５３に通気孔を設けることもできる。
【００３６】
次に、図１０〜図１２を参照しつつ、突出部について説明する。同図に示すように、基台部５２２の内壁面には、９０度おきに、４つの突出部５５が形成されている。各突出部５５は、周方向に延びる板状に形成されており、基台部５２２の内壁面から突出する第１部位５５１と、この第１部位５５１の周方向の中央付近から突出する第２部位５５２と、を備えている。第１部位５５１の周方向の両端部５５３は、中央付近にいくにしたがって基台部５２２からの突出長さが徐々に長くなるように形成されている。そして、基台部５２２からの突出長さが所定のＬ１となると、第２部位５５２の両端部までは突出長さがＬ１のまま一定となっている（以下、この部分を第１部位５５１の本体部５５４と称することとする）。第２部位５５２は、平面視円弧状形成されており、中央の突出長さ、つまり最も突出している部分の突出長さが所定のＬ２となっている。ここで、第１部位５５１の突出長さＬ１は、例えば、０．５〜３．０ｍｍとすることができ、第２部位５５２の突出長さＬ２は、例えば、０．７〜４．０ｍｍとすることができる。なお、カバー部材５も、容器１と同様の材料で形成することができる。
【００３７】
＜７．薬剤揮散器の使用方法＞
次に、上記のように構成された薬剤揮散器の使用方法について、図１３〜図１５も参照しつつ説明する。図１３は図１のＡ−Ａ線断面図、図１４はカバー部材の取り外しを示す図１３の一部断面図、図１５は薬剤揮散器の使用方法を示す正面図である。まず、図１の状態からカバー部材５を容器から取り外す。このとき、図１３に示すように、カバー部材５の突出部５５は、容器１の凹部１５に係合しており、この状態から、カバー部材５を周方向に回転する。これにより、図１４（ａ）に示すように、各突出部５５の一方の端部（第１部位５５１の端部５５３）が凹部１５の側辺１５２に沿って斜め上方に案内される。そして、各突出部５５の端部５５３は、カバー部材５の内壁面から徐々に突出しているため、図１４（ｂ）に示すように、各突出部５５の端部５５３が起点となって、凹部１５から離脱していく。より詳細には、凹部１５の上辺１５３と側辺１５２の交点から離脱し、膨出部１６の傾斜面１６２に乗り上げる。そして、図１４（ｃ）に示すように、カバー部材５をさらに回転させると、各突出部５５の端部５５３に続いて、第１部位５５１の本体部５５４、及び第２部位５５２がこの順で凹部１５から傾斜面１６２に乗り上げ、傾斜面１６２に沿って上方へと案内される。こうして、４つの突出部５５がすべて凹部１５から離脱し、カバー部材５を容器１から取り外すことができる。
【００３８】
次に、キャップ２を回転し、容器１の開口１０から取り外すとともに、上方に持ち上げる。これにより、図１５に示すように、キャップ２とともに支持体３及び吸液芯４が持ち上げられ、薬液が含浸された吸液芯４が露出する。このとき、吸液芯４は、容器１の両突部によって挟まれているため、上方に引き上げられても、降下することなく、引き上げられた状態を維持することができる。
【００３９】
これに続いて、図１に示すように、カバー部材５を再び容器１に取り付ける。このとき、カバー部材５の突出部５５が、容器１の凹部１５に係合するように回転位置の位置決めを行う。すなわち、突出部５５を凹部１５の直上に位置決めする。そして、位置決めした回転位置から、カバー部材５を容器１に向かって近接させ、カバー部材５の基台部５２２を、容器１の固定台部１１２に嵌め込む。これにより、カバー部材５は弾性変形しつつ、突出部５５が凹部１５に係合する。
【００４０】
こうして、取り付けられたカバー部材５の内部空間には、引き上げられたキャップ２、支持体３、及び吸液芯４が配置され、これらは外部から接触できないようになっている。但し、カバー部材５には複数のスリット５４１が形成されているため、吸液芯４に含浸された薬液は、スリット５４１を介して外部に揮散し、これによって芳香効果、消臭効果等を得ることができる。
【００４１】
＜８．特徴＞
以上のように、本実施形態によれば、隣接する凹部１５の間に膨出部１６が設けられているため、カバー部材５の突出部５５を容器１の凹部１５に確実に係合させることができる。この点について、詳細に説明する。カバー部材５を容器１に取り付けるとき、図１６の（ｉ）の位置のように、突出部５５の回転位置の位置決めが正しくできている場合には、カバー部材５を容器１に近接させると、突出部を凹部に係合させることができる。一方、図１６の（ｉｉ）の位置のように、突出部５５の回転位置の位置決めが正しくできていない場合には、突出部５５は膨出部１６に接触してしまう。しかしながら、上記のように、膨出部１６は正面視において三角形状に形成されているため、膨出部１６のいずれかの傾斜面１６２に接触した突出部５５は、カバー部材５の容器１への近接とともに、傾斜面１６２に沿って下降し、凹部１５まで案内される。したがって、カバー部材５の回転位置の位置決めが誤っていたとしても、突出部５５を凹部１５に対して確実に係合させることができる。その結果、カバー部材５から容器１が離脱するのを防止することができる。
【００４２】
また、突出部５５の中央付近に位置する第２部位５５２は、カバー部材５の内壁面からの突出長さが長く形成されているため、この第２部位５５２において、突出部５５は凹部１５に対して深く嵌まり込んだ状態となる。そのため、例えば、カバー部材５を把持して容器を持ち上げたときに、カバー部材５から容器１から離脱するのを防止することができる。一方、突出部５５の第２部位５５２の両側にある第１部位５５１は、突出長さが第１部位５５１よりも短いため、凹部１５には浅く嵌まり込む。そのため、カバー部材５を容器１に対して周方向に回転させれば、第１部位５５１と凹部１５との干渉が小さいため、突出部５５のいずれか一方の端部５５３を起点として、突出部５５を凹部１５から容易に離脱させることができる。このとき、カバー部材５の回転を続ければ、突出部５５の端部５５３に続いて、突出長さの長い第２部位５５２も凹部１５から容易に離脱させることができる。このように、本実施形態に係る薬剤揮散器では、カバー部材５を容器１に対して強固に固定できるとともに、周方向に回転させることで容器１から容易に取り外すことができる。
【００４３】
＜９．変形例＞
以上、本発明の一実施形態について説明したが、本発明はこれに限定されるものではなく、その趣旨を逸脱しない限りにおいて種々の変更が可能である。なお、以下の変形例は、適宜組合わせ可能である。
【００４４】
＜９−１＞
膨出部１６の構成は、特には限定されない。すなわち、膨出部１６は、少なくとも、周方向において、凹部１５の間に配置され、突出部５５との干渉により突出部５５を押し込めないようになっていればよい。したがって、形状などは特には限定されない。また、膨出部１６に傾斜面１６２を設けていると有利であるが、必ずしも凹部１５の側辺１５２と一致していなくてもよく、近接していても概ね同様の効果を得ることができる。したがって、凹部１５と膨出部１６との間に隙間があってもよい。
【００４５】
＜９−２＞
凹部１５の構成も特には限定されず、少なくとも突出部５５が係合するように窪んでいればよい。したがって、正面視の形状も台形以外でもよい。また、突出部５５の構成も特には限定されず、カバー部材５の内壁面からの突出長さが同じであってもよい。また、凹部１５と突出部５５の数も特には限定されない。
【００４６】
＜９−３＞
容器１の構成も特には限定されず、少なくとも上部に開口１０と、凹部１５が形成され、内部に薬剤が収容可能であればよい。したがって、キャップ２、支持体３、及び吸液芯４は必ずしも必要ではなく、容器に収容された薬剤が、上部開口１０、及びカバー部材５を介して、外部に揮散するようになっていればよい。なお、吸液芯を設ける場合には、その形状は特には限定されず、円筒状など、種々の形状にすることができる。また、吸液芯に加え、揮散体を設け、吸液芯で吸い上げた薬液を、揮散体に保持して揮散させるようにすることもできる。
【００４７】
＜９−４＞
カバー部材５の構成も特には限定されず、少なくとも容器１の上部を覆い、突出部５５が形成されるとともに、薬剤を外部に揮散できるようなスリット、貫通孔などの連通部が設けられていればよい。また、薬剤は、液状でなくてもよく、固形、ゲル状などであってもよい。
【符号の説明】
【００４８】
１  容器
１０  開口
１５  凹部
１６  膨出部
５  カバー部材
５１  上壁
５２  周壁
５５  突出部
【図１】
0006681197.tif 000002
【図２】
0006681197.tif 000003
【図３】
0006681197.tif 000004
【図４】
0006681197.tif 000005
【図５】
0006681197.tif 000006
【図６】
0006681197.tif 000007
【図７】
0006681197.tif 000008
【図８】
0006681197.tif 000009
【図９】
0006681197.tif 000010
【図１０】
0006681197.tif 000011
【図１１】
0006681197.tif 000012
【図１２】
0006681197.tif 000013
【図１３】
0006681197.tif 000014
【図１４】
0006681197.tif 000015
【図１５】
0006681197.tif 000016
【図１６】
0006681197.tif 000017